(57)【要約】【課題】地上デジタル放送の視聴に際して、チャンネルを切り替える際の待ち時間によってユーザに与えるストレスを軽減させること。【解決方法】テレビ受像機は、チャンネルを切り替える際の待ち時間に再生する待機時コンテンツとして、広告を内容とする広告コンテンツや、ユーザに個別に配信する待ち受け画面等の付加コンテンツを記憶している。そして、例えばチャンネル１（ＣＨ１）の放送番組の出力中のタイミングＴ１でチャンネル選択操作が為され、チャンネル５（ＣＨ５）が選択された場合に、このチャンネル選択操作が為されてからチャンネル５の放送番組の出力が開始されるまでの期間Ｔ１〜Ｔ２中、一の待機時コンテンツを選択して再生する。【選択図】図４
2009071578.tif 000002
【特許請求の範囲】
【請求項１】
地上デジタル放送の放送波を受信し、選択されたチャンネルの放送番組を出力するテレビ受像機であって、
チャンネルを選択するチャンネル選択手段と、
前記チャンネル選択手段によってチャンネルが選択された際に、チャンネルを切り替える処理を行って前記選択されたチャンネルの放送番組の出力を開始するチャンネル切替手段と、
前記チャンネル選択手段によってチャンネルが選択されてから前記チャンネル切替手段によって前記選択されたチャンネルの放送番組の出力が開始されるまでの間に、所定の待機時コンテンツを再生するコンテンツ再生手段と、
を備えることを特徴とするテレビ受像機。
【請求項２】
複数の待機時コンテンツを記憶するコンテンツ記憶手段を備え、
前記コンテンツ再生手段は、前記コンテンツ記憶手段に記憶されている待機時コンテンツの中から一の待機時コンテンツを選択して再生することを特徴とする請求項１に記載のテレビ受像機。
【請求項３】
前記待機時コンテンツは、広告を内容とする広告コンテンツを含むことを特徴とする請求項１または２に記載のテレビ受像機。
【請求項４】
前記待機時コンテンツは、所定の通信回線を介して接続可能な外部装置からユーザ操作に従って予めダウンロードされたダウンロードコンテンツを含むことを特徴とする請求項１〜３のいずれか一項に記載のテレビ受像機。
【発明の詳細な説明】
【技術分野】
【０００１】
本発明は、地上デジタル放送に対応したテレビ受像機に関する。
【背景技術】
【０００２】
近年、電波の有効利用やテレビ放送の高画質化・高機能化を推進することを目的とした地上デジタル放送が開始され、この地上デジタル放送に対応したテレビ受像機が普及している（例えば、特許文献１参照）。また、地上デジタル放送の周波数帯の一部を利用した携帯端末向けのいわゆるワンセグ放送も開始され、地上デジタル放送は、携帯電話機やＰＤＡ、ノートパソコン、専用の携帯型テレビ受像機等の携帯端末で受信し、視聴することができる。
【特許文献１】特開２００６−２７０３６９号公報
【発明の開示】
【発明が解決しようとする課題】
【０００３】
放送信号を受信して出力するテレビ受像機では、チャンネルが選択された際にブラックアウトと呼ばれる何も表示されない無映像の期間が発生する。これは、チャンネルを切り替えるための処理に時間を要するためである。この期間の長さは場合によって異なるが、数秒間続く場合もあり、その間ユーザは、無映像の画面を見ながら待機しなければならず、退屈であった。
【０００４】
本発明は、上記した従来の課題に鑑みてなされたものであり、地上デジタル放送の視聴に際して、チャンネルを切り替える際の待ち時間によってユーザに与えるストレスを軽減させることができるテレビ受像機を提供することを目的とする。
【課題を解決するための手段】
【０００５】
上記の課題を解決するため、本発明にかかるテレビ受像機は、地上デジタル放送の放送波を受信し、選択されたチャンネルの放送番組を出力するテレビ受像機であって、チャンネルを選択するチャンネル選択手段と、前記チャンネル選択手段によってチャンネルが選択された際に、チャンネルを切り替える処理を行って前記選択されたチャンネルの放送番組の出力を開始するチャンネル切替手段と、前記チャンネル選択手段によってチャンネルが選択されてから前記チャンネル切替手段によって前記選択されたチャンネルの放送番組の出力が開始されるまでの間に、所定の待機時コンテンツを再生するコンテンツ再生手段と、を備えることを特徴とする。
【０００６】
また、上記の発明にかかるテレビ受像機において、複数の待機時コンテンツを記憶するコンテンツ記憶手段を備え、前記コンテンツ再生手段は、前記コンテンツ記憶手段に記憶されている待機時コンテンツの中から一の待機時コンテンツを選択して再生することを特徴とする。
【０００７】
また、上記の発明にかかるテレビ受像機において、前記待機時コンテンツは、広告を内容とする広告コンテンツを含むことを特徴とする。
【０００８】
また、上記の発明にかかるテレビ受像機において、前記待機時コンテンツは、所定の通信回線を介して接続可能な外部装置からユーザ操作に従って予めダウンロードされたダウンロードコンテンツを含むことを特徴とする。
【発明の効果】
【０００９】
本発明によれば、チャンネルが選択されてから、チャンネルを切り替える処理が完了して選択されたチャンネルの放送番組の出力が開始されるまでの間に、所定の待機時コンテンツを再生することができ、従来ブラックアウト状態となっていた期間に、待機時コンテンツを再生することができる。これよれば、ユーザは、無映像の何も表示されない画面を見ながら待機することがないため退屈せず、チャンネルを切り替える際の待ち時間によってユーザに与えるストレスを軽減させることができる。
【発明を実施するための最良の形態】
【００１０】
以下、図面を参照し、本発明の好適な実施の形態について詳細に説明する。ただし、発明の範囲は図示例に限定されない。
【００１１】
［外観］
図１は、テレビ受像機１の外観例を示す図である。図１に示すテレビ受像機１は、横方向に長く薄型の直方体に形成された装置本体部３を有し、例えばユーザに携帯されて使用される。具体的には、装置本体部３は、例えば縦６１ｍｍ、横９９ｍｍ、厚さ２４ｍｍの筐体に形成される。
【００１２】
装置本体部３の前面には、液晶表示パネル５と複数のタッチ式のスイッチＳＷ１〜ＳＷ６とが配設されている。液晶表示パネル５は、例えば、画面サイズが３．０インチのＴＦＴ（Thin Film Transistor）方式の液晶表示パネルである。オンオフスイッチＳＷ１は、液晶表示パネル５およびスピーカ７のオンオフを切り替えてテレビ視聴のオンオフの切替を行う。チャンネルスイッチＳＷ２は、テレビ受像機１にて視聴するチャンネルの選択を行う。音量スイッチＳＷ３は、音量の変更を行う。明度スイッチＳＷ４は、液晶表示パネル５の明暗の変更を行う。アップスイッチＳＷ５およびダウンスイッチＳＷ６は、チャンネルの選択、音量の増減、明暗の調整を行うものであり、直前に押下されたスイッチの種類に応じて機能する。すなわち、チャンネルスイッチＳＷ２に続けてアップスイッチＳＷ５またはダウンスイッチＳＷ６が押下された場合には、チャンネルを選択するチャンネルアップスイッチまたはチャンネルダウンスイッチとして機能する。このチャンネルスイッチＳＷ２、チャンネルアップスイッチとして機能するアップスイッチＳＷ５およびチャンネルダウンスイッチとして機能するダウンスイッチＳＷ６は、チャンネル選択手段に相当する。以下、チャンネルスイッチＳＷ２の押下操作、およびこのチャンネルスイッチＳＷ２に続けて為されたアップスイッチＳＷ５またはダウンスイッチＳＷ６の押下操作を、「チャンネル選択操作」と呼ぶ。同様にして、音量スイッチＳＷ３に続けてアップスイッチＳＷ５またはダウンスイッチＳＷ６が押下された場合には、音量を増加または減少させる音量アップスイッチまたは音量ダウンスイッチとして機能し、明度スイッチＳＷ４に続けてアップスイッチＳＷ５またはダウンスイッチＳＷ６が押下された場合には、画面を明るくまたは暗くさせて明暗を調整する明度アップスイッチまたは明度ダウンスイッチとして機能する。
【００１３】
装置本体部３の側面には、スピーカ７や、図示しないイヤホン端子の挿入口（図示略）、メモリカード９を着脱自在に装着するカードスロット等が配設されている。メモリカード９は、例えばＳＤメモリカード（登録商標）やメモリースティック（登録商標）等、いずれの規格のものでもよい。
【００１４】
このテレビ受像機１は、地上デジタル放送の放送信号を受信し、テレビ放送信号に基づく映像情報（テレビ放送画面）を液晶表示パネル５に表示出力するとともに、音声情報をスピーカ７から音声出力する。また、テレビ受像機１は、テレビ番組表やニュース等、静止画データやテキストデータ、音声データ等を組み合わせたＢＭＬ（Broadcast Markup Language）と呼ばれる放送用マークアップ言語で記述されたコンテンツ（以下、「ＢＭＬコンテンツ」と呼ぶ。）を再生するためのＢＭＬブラウザを内蔵しており、データ放送のＢＭＬコンテンツを受信して再生する。
【００１５】
［構成］
図２は、テレビ受像機１において地上デジタル放送を視聴するためのデジタルテレビ放送システムのシステム構成例を示す概略図である。図２に示すように、デジタルテレビ放送システムは、地上デジタル放送を送出する複数の放送局３０（放送局Ａ，放送局Ｂ，・・・）と、各放送局３０からの地上デジタル放送を受信して出力するテレビ受像機１とで構成される。各放送局３０は、それぞれテレビ放送システム３１０およびデータ放送システム３３０を備えており、データ放送システム３３０は、ネットワークＮを介してテレビ受像機１と接続される。ここで、ネットワークＮは、インターネットおよびインターネットに接続するための回線やＩＳＰサーバ等を含む。
【００１６】
放送局３０側に設けられるテレビ放送システム３１０は、地上デジタル放送の放送波を電波塔５０を介して送出し、テレビ放送サービスを提供する。このテレビ放送は、放送番組の画像および音声の信号である。
【００１７】
一方、データ放送システム３３０は、データ放送コンテンツＤＢ３３１を備える。このデータ放送コンテンツＤＢ３３１は、各種のＢＭＬコンテンツを記憶する。データ放送システム３３０は、これらのＢＭＬコンテンツを放送波によってリアルタイムに送出してテレビ受像機１に配信し、データ放送サービスを提供する。
【００１８】
また、データ放送コンテンツＤＢ３３１は、広告コンテンツＤＢ３３１ａを含み、広告を内容とする広告コンテンツとして、例えば協賛メーカが販売する新製品の広告用の静止画データや動画データ、音声データまたはこれらを組み合わせたコンテンツや、広告主のウェブページへのリンクが張られたバナー広告等のデータを管理している。データ放送システム３３０は、これらの広告コンテンツを放送波によって適宜テレビ受像機１に送出する。
【００１９】
また、データ放送システム３３０は、付加コンテンツＤＢ３３３を備え、テレビ受像機１のユーザに個別に配信するダウンロードコンテンツである付加コンテンツとして、例えば、テレビ放送画面やデータ放送画面上に表示させるキャラクタのデータや、待ち受け画面の画像データ等を管理している。データ放送システム３３０は、テレビ受像機１から受信した付加コンテンツ取得要求に応じて要求された付加コンテンツを付加コンテンツＤＢ３３３から読み出し、ネットワークＮを介して当該テレビ受像機１に送信する。
【００２０】
テレビ受像機１は、選択されているチャンネルの放送局３０のテレビ放送システム３１０およびデータ放送システム３３０から送出される地上デジタル放送のテレビ放送やデータ放送の放送信号を受信して放送番組を出力する。図３は、テレビ受像機１の主要機能構成の一例を示すブロック図である。図３に示すように、テレビ受像機１は、操作部１００、チューナ１１０、復調部１２０、デコーダ１３０、画像表示部１４０、音声出力部１５０、無線通信部１６０、記憶部１７０、カード読書部１８０、制御部１９０、現在時刻情報を計時して制御部１９０に通知する時計部２００等を備える。
【００２１】
操作部１００は、ユーザがテレビ視聴のオンオフ、チャンネルの選択、音量の増減、明暗の調整等の各種操作を入力するためのものであり、操作入力に応じた操作信号を制御部１９０に出力する。この操作部１００は、例えばボタンスイッチ、レバー、ダイヤル、マウス、キーボード、各種センサ等によって実現される。本実施の形態では、操作部１００は、図１のオンオフスイッチＳＷ１、チャンネルスイッチＳＷ２、音量スイッチＳＷ３、明度スイッチＳＷ４、アップスイッチＳＷ５およびダウンスイッチＳＷ６で構成される。
【００２２】
チューナ１１０は、アンテナ１１１によって受信された地上デジタル放送の放送信号の中から、ユーザが指定した放送番組のチャンネルに対応する周波数帯域の放送信号を抽出し、抽出した放送信号を変調して中間周波信号を復調部１２０に出力する。
【００２３】
復調部１２０は、チューナ１１０から入力された中間周波信号に対してデジタル復調や誤り訂正等の処理を施すとともに、スクランブル解除情報を用いてストリーム（例えば、トランスポートストリーム）に付加されたスクランブル信号を解除して、当該スクランブル信号が解除されたトランスポートストリームをデコーダ１３０に出力する。
【００２４】
デコーダ１３０は、復調部１２０から入力されたトランスポートストリームを解読し、テレビ放送の映像・音声ストリームとデータ放送のデータストリームとに分離してこれらを個別に再生する。テレビ放送の映像・音声ストリームについては、これを構成する各トランスポートパケットを判別して、ユーザが指定した放送番組に関連するトランスポートパケットにかかるデータをデジタル音声情報やデジタル映像情報等に分離する。そして、デコーダ１３０は、ＭＰＥＧ方式で圧縮されたデジタル映像情報をデコードして画像表示部１４０に出力するとともに、デジタル音声情報をデコードして音声出力部１５０に出力する。
【００２５】
画像表示部１４０は、デコーダ１３０から入力された映像情報に基づく映像の表示、文字情報で構成される設定画面やメニュー画面等のいわゆるＯＳＤ（オンスクリーンディスプレイ）の表示、待機時コンテンツのデータに基づく静止画や動画の表示を行う。この画像表示部１４０は、例えばＬＣＤやＥＬＤ等の各種表示装置で実現される。図１の液晶表示パネル５は、この画像表示部１４０に該当する。
【００２６】
音声出力部１５０は、デコーダ１３０から入力された音声情報に基づく音声の出力や、待機時コンテンツのデータに基づく音声の出力を行う。図１のスピーカ７は、この音声出力部１５０に該当する。
【００２７】
無線通信部１６０は、ネットワークＮを介してデータ放送システム３３０との間でデータの送受信を行うための装置であり、携帯電話回線やＰＨＳ回線への接続およびこの接続を利用したインターネットへの接続等の処理を行う。そして、データ放送システム３３０との間で無線信号の送受信を例えばパケット通信によって行い、付加コンテンツを受信する。この無線通信部１６０は、例えば、携帯電話の通信サービス事業者が設置した無線基地局との間で無線信号の送受信を行うアンテナ１６１や、ＲＦ変換器、無線ＬＡＮに接続するための無線ＬＡＮカード等によって実現される。
【００２８】
記憶部１７０は、更新記憶可能なフラッシュメモリ等のＲＯＭやＲＡＭといった各種ＩＣメモリやハードディスク等によって実現されるものであり、テレビ受像機１で実行可能なシステムプログラム、このシステムプログラムで実行可能な各種処理プログラム、これら各種処理プログラムを実行する際に使用されるデータ、演算処理された処理結果のデータ等が格納される。
【００２９】
また、記憶部１７０には、待機時コンテンツ再生処理を行うための待機時コンテンツ再生プログラム１７１と、待機時コンテンツデータ１７３とが格納される。待機時コンテンツデータ１７３は、コンテンツ記憶手段に相当し、複数の待機時コンテンツのデータを記憶する。この待機時コンテンツデータ１７３に記憶される待機時コンテンツは、チャンネルを切り替える際の待ち時間に再生されるものであり、静止画データや動画データ、音声データまたはこれらを組み合わせて構成され、予め記憶部１７０に記憶されたものの他、データ放送システム３３０から放送波によって送出された広告コンテンツや、データ放送システム３３０からネットワークＮを介して受信した付加コンテンツを含む。
【００３０】
カード読書部１８０は、メモリカード９を着脱自在に装着し、制御部１９０の制御のもと、メモリカード９に対するデータの書き込みや書き換え、データの読み出し等を行う。このカード読書部１８０は、メモリカード９のメディアの種類に応じた読み書き装置およびそのドライバ回路等によって実現される。上記した広告コンテンツや付加コンテンツは、このカード読書部１８０に装着されたメモリカード９から読み出して取得する構成としてもよい。この場合には、例えば、カード読書部１８０は、データ放送システム３３０から受信した広告コンテンツのデータや付加コンテンツをメモリカード９に書き込む。あるいは、予め外部装置から広告コンテンツや付加コンテンツのデータをダウンロードしてメモリカード９に格納しておき、このメモリカード９をカード読書部１８０に装着する。
【００３１】
制御部１９０は、ＣＰＵ等のハードウェアによって実現される。この制御部１９０は、操作部１００から入力される操作信号、記憶部１７０に格納されるプログラムやデータ等に基づいてテレビ受像機１を構成する各部への指示やデータの転送等を行い、テレビ受像機１全体の動作を統括的に制御する。この制御部１９０は、チャンネル切替手段として機能し、チャンネル選択操作が為された場合には、チューナ１１０を制御して出力する放送番組のチャンネルを切り替えるための処理を実行する。そして、制御部１９０は、放送局３０のデータ放送システム３３０から放送波によって送出された広告コンテンツのデータを記憶部１７０の待機時コンテンツデータ１７３に追加する。あるいは、制御部１９０は、ユーザ操作に従ってまたは定期的にネットワークＮを介してデータ放送システム３３０に付加コンテンツ取得要求を通知し、これに応答してデータ放送システム３３０から送信される付加コンテンツをダウンロードし、待機時コンテンツデータ１７３に追加する。
【００３２】
また、制御部１９０は、待機時コンテンツ再生プログラム１７１に従って待機時コンテンツ再生処理を行い、コンテンツ再生手段として機能する。チャンネル選択操作が為されると、制御部１９０は、上記したように選択されたチャンネルに切り替えるための処理を行うが、このとき、チューナ１１０による選局動作の安定待ちや映像情報に挿入されているキーフレームの受信待ち、映像情報と音声情報との同期待ちといった処理に時間を要する場合があり、この間ブラックアウト状態となる。待機時コンテンツ再生処理では、このブラックアウト状態となる期間中、待機時コンテンツを再生する制御を行う。
【００３３】
図４は、待機時コンテンツ再生処理について説明するための説明図である。図４に示すように、例えばチャンネル１（ＣＨ１）の放送番組の出力中のタイミングＴ１でチャンネル選択操作が為され、チャンネル５（ＣＨ５）が選択された場合には、制御部１９０は、このチャンネル選択操作が為されてからチャンネル５の放送番組の出力が開始されるまでの期間Ｔ１〜Ｔ２中、待機時コンテンツである広告コンテンツや付加コンテンツを再生する。このときに再生する待機時コンテンツは、制御部１９０が選択する構成としてもよいし、ユーザに指定させる構成としてもよい。例えば、制御部１９０は、再生する待機時コンテンツをユーザが指定していない場合には、待機時コンテンツデータ１７３に格納されている広告コンテンツの中から、一の広告コンテンツをランダムに選択して選択した広告コンテンツを再生する。待機時コンテンツが再生されるのはチャンネルの切替時であるため、ユーザは画面を見ている可能性が高い。このため、広告コンテンツをユーザに効率良く視聴させることができる。一方、制御部１９０は、ユーザが再生する待機時コンテンツを指定している場合には、この指定されている待機時コンテンツを再生する。これによれば、ユーザは、待ち受け画面を設定する要領で待機時コンテンツデータ１７３に格納されている付加コンテンツを指定し、あるいはデータ放送システム３３０から付加コンテンツをダウンロードした上でこの付加コンテンツを指定して、チャンネルを切り替える際の待ち時間に好みの待機時コンテンツを再生させることができる。
【００３４】
なお、放送番組の映像やＯＳＤ、待機時コンテンツの画面表示は、各表示情報をそれぞれレイヤー状に重畳表示させて行う。図５は、表示画面のレイヤー構造を示す図である。図５に示すように、ＯＳＤ用のレイヤーＬ１、放送番組の映像表示用のレイヤーＬ２および待機コンテンツの再生表示用のレイヤーＬ３にそれぞれ個別に対応する表示情報の表示を行ってこれらを重ねて画面表示する。これにより、レイヤーＬ１における設定画面やメニュー画面等のＯＳＤの表示は、必ず画面表示される。また、チャンネルを切り替える際にレイヤーＬ２に何も表示されずに無映像となった場合には、レイヤーＬ３に表示される待機コンテンツが画面表示される。そして、チャンネルを切り替える処理が完了して選択されたチャンネルの放送番組の出力が開始されると、レイヤーＬ２に表示される放送番組の映像が画面表示される。本実施の形態では、チャンネル選択操作が為された場合に待機コンテンツの再生を開始し、チャンネルを切り替える処理が完了して選択されたチャンネルの放送番組の出力を開始した場合に待機コンテンツの再生を停止することとしたが、レイヤーＬ３において常に待機コンテンツの表示を行うこととしてもよい。
【００３５】
［処理の流れ］
図５は、待機時コンテンツ再生処理にかかる制御部１９０の処理手順を示すフローチャートである。なお、ここで説明する処理は、制御部１９０が待機時コンテンツ再生プログラム１７１を読み出して実行することによって実現される。
【００３６】
この待機時コンテンツ再生処理では、制御部１９０は、操作部１００から入力される操作信号を判定し、チャンネル選択操作が為された場合に（ステップＳ１０：Ｙｅｓ）、待機時コンテンツデータ１７３の中から再生する待機時コンテンツを選択し（ステップＳ２０）、選択した待機時コンテンツを再生する制御を開始する（ステップＳ３０）。この待機時コンテンツの再生制御と並行して、制御部１９０は、チャンネルを切り替えるために必要な処理を行う。そして、制御部１９０は、チャンネルを切り替える処理が完了し、選択されたチャンネルの放送番組の出力を開始したならば（ステップＳ４０：Ｙｅｓ）、ステップＳ３０で再生を開始した待機時コンテンツの再生制御を停止して（ステップＳ５０）、本処理を終了する。
【００３７】
以上説明したように、本実施の形態によれば、テレビ受像機１は、チャンネル選択操作が為された際、チャンネルを切り替える処理が完了して選択されたチャンネルの放送番組の出力を開始するまでの間、所定の待機時コンテンツを最盛することができる。これよれば、ユーザは、無映像の何も表示されない画面を見ながら待機することがないため退屈せず、チャンネルを切り替える際の待ち時間によってユーザに与えるストレスを軽減させることができる。
【００３８】
なお、上記した実施の形態では、待機時コンテンツとして再生する付加コンテンツをデータ放送システム３３０からダウンロードすることとしたが、他のサーバ装置にネットワークＮを介してアクセスし、待機時コンテンツとして再生する付加コンテンツをダウンロードすることとしてもよい。
【００３９】
また、上記した実施の形態では、待機時コンテンツとして広告コンテンツや付加コンテンツを再生する場合について説明したが、待機時コンテンツの内容はこれに限定されるものではない。例えば、放送予定のドラマや映画、アニメ、スポーツ、音楽等の番組の予告情報といった各チャンネルの放送番組に関するコンテンツ等であってもよい。
【００４０】
また、データ放送システム３３０から送出される広告コンテンツに再生期限を設定しておき、テレビ受像機１側で現在時刻が再生期限を超過していない広告コンテンツを待機時コンテンツとして再生するように構成してもよい。これによれば、古い広告コンテンツを再生せずに新しい広告コンテンツをユーザに視聴させることができる。
【００４１】
また、上記した各実施の形態では、地上デジタル放送を受信する携帯型の専用のテレビ受像機について説明したが、本発明は、地上デジタル放送の受信機能を備えた例えば携帯電話機やＰＤＡ、携帯型ゲーム機等の携帯端末装置にも同様に適用することができる。
【図面の簡単な説明】
【００４２】
【図１】テレビ受像機の外観例を示す図である。
【図２】テレビ受像機において地上デジタル放送を視聴するためのデジタルテレビ放送システムのシステム構成例を示す概略図である。
【図３】テレビ受像機の主要機能構成の一例を示すブロック図である。
【図４】待機時コンテンツ再生処理について説明するための説明図である。
【図５】表示画面のレイヤー構造を示す図である。
【図６】待機時コンテンツ再生処理にかかる制御部の処理手順を示すフローチャートである。
【符号の説明】
【００４３】
１      テレビ受像機
１００      操作部
１１０      チューナ
１１１      アンテナ
１２０      復調部
１３０      デコーダ
１４０      画像表示部
１５０      音声出力部
１６０      無線通信部
１６１      アンテナ
１７０      記憶部
１７１      待機時コンテンツ再生プログラム
１７３      待機時コンテンツデータ
１８０      カード読書部
１９０      制御部
２００      時計部
９      メモリカード
３０      放送局
３１０      テレビ放送システム
３３０      データ放送システム
３３１      データ放送コンテンツＤＢ
３３１ａ      広告コンテンツＤＢ
３３３      付加コンテンツＤＢ
５０        電波塔
Ｎ          ネットワーク
【図１】
2009071578.tif 000003
【図２】
2009071578.tif 000004
【図３】
2009071578.tif 000005
【図４】
2009071578.tif 000006
【図５】
2009071578.tif 000007
【図６】
2009071578.tif 000008